(57)【要約】【課題】  複雑な構成とすることなく、かつ被着体に容易に貼り付けることができる封筒作製用シートを提供する。【解決手段】  本発明の封筒作製用シート１では、ラベル紙と剥離紙というごく単純な構成でありながら、粘着面６ａを露出させる粘着領域７０および全抜き領域７１を形成したことにより、封筒部２６に複数面の帳票が連結されたようなものにおいても、封筒を容易に作製できるようにした。従って、シートに両面タック加工などの特殊な加工を施す必要がなく、コストが上がってしまうことがない。また、配達用の箱などに容易に貼り付けることができるので、伝票を封筒に入れて箱に貼ったり、またテープなどで伝票を箱に貼ったりする必要がなく、作業性を向上できると共にコストを抑えることができる。【選択図】  図５
2006347144.tif 000002
【特許請求の範囲】
【請求項１】
プリンタにより印刷されるラベル紙と、該ラベル紙裏側の粘着面に貼り合わされた剥離紙とを備え、折り曲げ線に沿って少なくとも２つ折りすることで封筒を作製可能な封筒作製用シートであって、
前記折り曲げ線を境に、上側に封筒となる略矩形の封筒部が、下側に封筒の中に収容される内容物となる略矩形の帳票部がそれぞれ形成され、
前記封筒部裏側の剥離紙の少なくとも上側縁および前記折り曲げ線付近には、剥離紙が部分的に除去されて前記粘着面が露出される粘着領域が形成され、
前記封筒作製用シートを折り曲げ線に沿ってラベル紙が外側となるように折り曲げたときに、前記帳票部における前記封筒部裏側の粘着領域と対向する箇所には、前記ラベル紙および剥離紙の両方が除去される全抜き領域が形成されており、
前記ラベル紙が外側となるように封筒作製用シートを折り曲げ線に沿って折り曲げ、前記粘着領域の粘着面を露出させた状態で前記全抜き領域のラベル紙および剥離紙の両方を除去し、前記封筒部を、この全抜き領域を透過した粘着面を介して被着体に貼り付けることによって、被着体に貼り付けられた状態の封筒が作製されることを特徴とする封筒作製用シート。
【請求項２】
前記封筒部裏側において、剥離紙の左右側縁にも前記粘着領域が形成されていることを特徴とする請求項１に記載の封筒作製用シート。
【請求項３】
前記帳票部の全抜き領域において、ラベル紙および剥離紙が予め除去されていることを特徴とする請求項１または２に記載の封筒作製用シート
【請求項４】
前記被着体が、前記帳票部の下側縁から下方に延設された帳票延設部であって、
前記封筒部の剥離紙と帳票部の剥離紙とが重なり合うように封筒作製用シートを折り曲げ線に沿って折り曲げた後、前記帳票部のラベル紙と帳票延設部のラベル紙とが重なり合うように、封筒作製用シートを帳票部と帳票延設部との境界線に沿って折り曲げ、前記粘着領域の粘着面を露出させた状態で前記全抜き領域のラベル紙および剥離紙の両方を除去し、前記封筒部を、この全抜き領域を透過した粘着面を介して帳票延設部に貼り付けることによって封筒が作製されることを特徴とする請求項１乃至３の何れかに記載の封筒作製用シート。
【請求項５】
前記粘着領域が前記折り曲げ線を越えて帳票部まで延びて形成されており、
前記全抜き領域は、前記粘着領域内に配設され、前記粘着領域の剥離紙を除去することによって前記全抜き領域のラベル紙および剥離紙も除去されることを特徴とする請求項１乃至４の何れかに記載の封筒作製用シート。
【発明の詳細な説明】
【技術分野】
【０００１】  本発明は、伝票等の帳票を収容する封筒を作製するための封筒作製用シートに関する。
【背景技術】
【０００２】  従来から、伝票のコンピュータ処理に伴い、レーザープリンタを使用して印刷をすることが一般的に行われている。そこで、レーザープリンタで印刷したシートを折り曲げ加工することにより封筒型伝票を作製可能な単票用紙が提案されている（特許文献１参照）。この単票用紙は、全面に粘着剤層を有する粘着シートと、その粘着剤層の全域を覆うように重ね合わされた剥離シートとから構成されており、単票用紙の剥離シート側に印字するものである。この単票用紙の中央よりやや下方には用紙を谷折りするための折り目線が設けられ、その折り目線よりも下方の領域には外周の三辺をコ字形に連ねた糊代が設けられ、この糊代の部分と印字面との境界には剥離シートのみを切断したスリットが設けられている。印字された単票用紙は、折り目線に沿って印字面を内側にして上下二つ折りにされ、糊代部分の剥離シートを剥がして露出させた粘着剤により接着されて封緘される。
【特許文献１】  特開平１０−３５１４６号公報
【発明の開示】
【発明が解決しようとする課題】
【０００３】  しかし上記構成の単票用紙では、用紙を谷折りするための折り目線の下方領域が、単一の面である場合にしか用いることができず、例えば下方領域に２面以上の伝票などが連結されたような場合は、封筒を作製することができないという問題があった。ここで、例えば、下方領域に２面の伝票が連結されている場合に、用紙をＺ折りにして封筒を作製しようとしたときには、用紙の表裏両面に粘着面を露出させられるような加工を施さなければならず、製造工程が複雑になると共にコスト高となる問題があった。また、上記構成の単票用紙では、作製された封筒型伝票を、例えば荷物配達用の箱などの被着体に貼り付けて使用することができなかった。仮にこのような構成の封筒型伝票を被着体に貼り付けようとすると、上記と同様に、表裏両面に粘着面を露出させられるような加工を施さなければならず、製造工程が複雑になると共にコスト高となる問題がある。【０００４】  本発明は、上記課題を解決するためになされたものであり、複雑な構成とすることなく、かつ被着体に容易に貼り付けることができる封筒作製用シートを提供することを目的とする。
【課題を解決するための手段】
【０００５】  上記目的を達成するために、請求項１に記載の封筒作製用シートは、プリンタにより印刷されるラベル紙と、該ラベル紙裏側の粘着面に貼り合わされた剥離紙とを備え、折り曲げ線に沿って少なくとも２つ折りすることで封筒を作製可能なものであって、前記折り曲げ線を境に、上側に封筒となる略矩形の封筒部が、下側に封筒の中に収容される内容物となる略矩形の帳票部がそれぞれ形成され、前記封筒部裏側の剥離紙の少なくとも上側縁部および前記折り曲げ線付近には、剥離紙が部分的に除去されて前記粘着面が露出される粘着領域が形成され、前記封筒作製用シートを折り曲げ線に沿ってラベル紙が外側となるように折り曲げたときに、前記帳票部における前記封筒部裏側の粘着領域と対向する箇所には、前記ラベル紙および剥離紙の両方が除去される全抜き領域が形成されており、前記ラベル紙が外側となるように封筒作製用シートを折り曲げ線に沿って折り曲げ、前記粘着領域の粘着面を露出させた状態で前記全抜き領域のラベル紙および剥離紙の両方を除去し、前記封筒部を、この全抜き領域を透過した粘着面を介して被着体に貼り付けることによって、被着体に貼り付けられた状態の封筒が作製されることを特徴とする。【０００６】  また、請求項２に記載の封筒作製用シートは、請求項１に記載の封筒作製用シートの構成に加え、封筒部裏側において、剥離紙の左右の縁部にも前記粘着領域が形成されていることを特徴とする。【０００７】  また、請求項３に記載の封筒作製用シートは、請求項１または２に記載の封筒作製用シートの構成に加え、前記帳票部の全抜き領域において、ラベル紙および剥離紙が予め除去されていることを特徴とする。【０００８】  また、請求項４に記載の封筒作製用シートは、請求項１乃至３の何れかに記載の封筒作製用シートの構成に加え、前記被着体が、前記帳票部の下側の縁部から下方に延設された帳票延設部であって、前記封筒部の剥離紙と帳票部の剥離紙とが重なり合うように封筒作製用シートを折り曲げ線に沿って折り曲げた後、前記帳票部のラベル紙と帳票延設部のラベル紙とが重なり合うように、封筒作製用シートを帳票部と帳票延設部との境界線に沿って折り曲げ、前記粘着領域の粘着面を露出させた状態で前記全抜き領域のラベル紙および剥離紙の両方を除去し、前記封筒部を、この全抜き領域を透過した粘着面を介して帳票延設部に貼り付けることによって封筒が作製されることを特徴とする。【０００９】  また、請求項５に記載の封筒作製用シートは、請求項１乃至４の何れかに記載の封筒作製用シートの構成に加え、前記粘着領域が前記折り曲げ線を越えて帳票部まで延びて形成されており、前記全抜き領域は、前記粘着領域内に配設され、前記粘着領域の剥離紙を除去することによって前記全抜き領域のラベル紙および剥離紙も除去されることを特徴とする。
【発明の効果】
【００１０】  本発明に係る封筒作製用シートでは、折り曲げ線上側の封筒部において、その裏側の剥離紙の少なくとも上側縁および折り曲げ線付近に、剥離紙が部分的に除去されて粘着面が露出される粘着領域が形成されており、封筒作製用シートを折り曲げ線に沿ってラベル紙が外側となるように折り曲げたときに、帳票部における封筒部裏側の粘着領域と対向する箇所には、ラベル紙および剥離紙の両方が除去される全抜き領域が形成されている。このような構成の封筒作製用シートを、折り曲げ線に沿ってラベル紙が外側となるように折り曲げた後、粘着領域の粘着面を露出させた状態で全抜き領域のラベル紙および剥離紙の両方を除去し、封筒部を、この全抜き領域を透過した粘着面を介して被着体に貼り付けると、被着体に貼り付けられた状態の封筒が作製される。従って、作製された封筒を荷物箱などの被着体に容易に貼り付けることができる。また、封筒を袋状にするための粘着面と、封筒を被着体に貼り付けるための粘着面とを共用しているので、一方の面（剥離層側の面）のみにて粘着面を露出させればよく、シートを簡単な構造とすることができ、製造工程が複雑になることもなく、またコストが上がることもない。【００１１】  また、封筒部裏側において、剥離紙の左右側縁にも粘着領域を形成することにより、封筒を全ての側縁において確実に封緘することができ、また、帳票部の全抜き領域において、ラベル紙および剥離紙を予め除去したことによって、除去作業を省略でき、作業効率を上げることができる。【００１２】  さらに、帳票部の下側縁から下方に帳票延設部を延ばし、該帳票延設部を被着体として、粘着面を介して封筒部を被着体（帳票延設部）に貼り付けることによって３つ折りの封筒も簡単に作製することができる。詳しくは、前記封筒部の剥離紙と帳票部の剥離紙とが重なり合うように封筒作製用シートを折り曲げ線に沿って折り曲げた後、帳票部のラベル紙と帳票延設部のラベル紙とが重なり合うように、封筒作製用シートを帳票部と帳票延設部との境界線に沿って折り曲げる。この状態で、封筒作製用シートはＺ字型に折り曲げられており、前記粘着領域の粘着面を露出させて全抜き領域のラベル紙および剥離紙の両方を除去し、封筒部を、この全抜き領域を透過した粘着面を介して帳票延設部に貼り付けることによって封筒が作製されることになる。加えて、折り曲げ線を越えるように粘着領域を帳票部まで延ばし、その粘着領域内に全抜き領域を配設して、粘着領域の剥離紙を除去するのに連動して全抜き領域のラベル紙および剥離紙が除去されるようにすることができる。これにより、全抜き領域のラベル紙および剥離紙の除去作業を簡単にかつ効率よく行うことができる。
【発明を実施するための最良の形態】
【００１３】  以下、本発明を具体化した封筒作製用シートの第１の実施形態について図を参照して説明する。まず、図１、図２および図３を参照して、封筒作製用シート１の全体構造について説明する。ここで、図１は封筒作製用シート１の平面図であり、図２は封筒作製用シート１の裏面図であり、図３は、図１におけるＡ−Ａ線矢視方向断面図である。図１および図３に示すように、封筒作製用シート１は、Ａ４大の長方形状を有し、プリンタにより印刷されるラベル紙５と、該ラベル紙５裏側（図中下側）の粘着層６の粘着面６ａに貼り合わされた剥離紙２０とが積層された構造となっている。また、封筒作製用シート１の上側の短辺側縁５５から下方に向かって長辺長さの略３分の１だけ進んだ箇所には、封筒作製用シート１を折り曲げるための折り曲げミシン３０（請求項における折り曲げ線に相当）が、封筒作製用シート１の全幅に渡り、かつ短辺側縁５５と平行な状態で形成されている。そして、この折り曲げミシン３０を境に、上側に封筒部２５が、下側に伝票部２６（請求項における帳票部に相当）がそれぞれ形成されている。【００１４】  また、図２に示すように、封筒作製用シート１の裏面側には、ラベル紙５の粘着面６ａを露出させるべく剥離紙２０を部分的に除去するためのスリット４０が複数本形成されている。スリット４０は、封筒作製用シート１の短辺と平行になるようその全幅に渡って形成されており、剥離紙２０を貫通している。具体的には、封筒部２５においては、折り曲げミシン３０から上方１ｃｍの箇所にスリット４０が形成されており、伝票部２６においては、折り曲げミシン３０から下方１ｃｍの箇所にスリット４０が形成されている。即ち、折り曲げミシン３０を境に、封筒作製用シート１の全幅×上下各１ｃｍの領域が、スリット４０によって剥離紙２０が除去されて、粘着面６ａが露出される粘着領域７０となっている。さらに、封筒作製用シート１の上側の短辺側縁５５から下方１ｃｍの箇所にもスリット４０が幅方向に渡って形成されており、封筒作製用シート１の上側の短辺側縁５５近傍にも、シートの全幅×１ｃｍの粘着領域７０が形成されている。当該粘着領域７０については、そのスリット４０の直下、即ち短辺側縁５５から下方１ｃｍ強の箇所に開封ミシン４２が全幅に渡って形成されている。開封ミシン４２は、後述するように、封筒部２５を開封してその中の伝票部２６を取り出すために設けられている。【００１５】  また、図１および図２に示すように、伝票部２６においては、折り曲げミシン３０の下方１ｃｍの箇所に形成されたスリット４０の直下、即ち折り曲げミシン３０の下方１ｃｍ強の箇所に、伝票切り離し用ミシン４３がやはり全幅に渡って形成されている。切り離し用ミシン４３は、スリット４０と平行で、後述するように伝票部２６を切り離すために形成されている。また、折り曲げミシン３０とその下方のスリット４０とによって形成された粘着領域７０内には、さらに全抜き領域７１が形成されている。全抜き領域７１は、横長形状を有し、上記粘着領域７０内で左右に２つ並んで形成されており、ラベル紙５および剥離紙２０を全て貫通している。そして、全抜き領域７１のラベル紙５および剥離紙２０を封筒作製用シート１��ら除去すると、そこには貫通孔７３（図４参照）が形成されることになる。【００１６】  図３および図４に示すように、全抜き領域７１は、ラベル紙５を貫通した閉ループ状のスリット４１と、剥離紙２０を貫通した上記スリット４０とによって、ラベル紙５および剥離紙２０を全て貫通可能となっている。ここで、図４は、封筒作製用シート１において、粘着領域７０の剥離紙２０を除去し、また全抜き領域７１のラベル紙５および剥離紙２０を除去した状態を示す封筒作製用シート１の裏面図である。本実施形態では、粘着領域７０内に全抜き領域７１が配置されているので、裏側から剥離紙２０を除去することによって、スリット４１で囲まれた領域（全抜き領域７１）のラベル紙５も連動して除去されることになる。【００１７】  また、伝票部２６の切り離し用ミシン４３から下側の短辺側縁５６までの長さを３等分するように、伝票部２６を折り曲げるための折りミシン３１が計２本形成されている。折りミシン３１は、スリット４０等と同様に、封筒作製用シート１の短辺と平行に形成されており、伝票部２６は、この折ミシン３１に沿って３つ折りされて封筒部２５内に収容されるようになっている。【００１８】  次に、本実施形態の封筒作製用シート１の使用方法について説明する。図４に示すように、まず、スリット４０に沿って粘着領域７０の粘着面６ａを露出させ、またそれに連動させて全抜き領域７１のラベル紙５および剥離紙２０を除去する。この状態で、全抜き領域７１には、横長の貫通孔７３が２つ形成されている。そして、図５に示すように、伝票部２６を折りミシン３１に沿って折り曲げて３つ折りにし（図中太矢印参照）、伝票部２６と封筒部２５とを折り曲げミシン３０に沿って２つ折りにする。このとき、図６に示すように、封筒作製用シート１を裏側から見ると、封筒部２５の上縁側には粘着領域７０の粘着面６ａが露出しており、下縁側では、貫通孔７３を通して、粘着領域７０の粘着面６ａが露出している。尚、伝票部２６には粘着面６ａが触れないようになっている。従って、これら上下に露出した粘着面６ａを介して、伝票部２６が収容された封筒部２５を、図中手前方向に向かって例えば荷物配達用の箱などの被着体に貼り付けることができる。【００１９】  そして、図７に示すように、被着体である箱８０に貼り付けられた封筒部２５を開封する際は、開封ミシン４２に沿って封筒部２５を切り離して中の伝票部２６を露出させ、さらに、図８に示すように、切り離し用ミシン４３に沿って伝票部２５を切り離す。これにより、伝票部２５を取り出すことができる。【００２０】  次いで、本発明を具体化した封筒作製用シートの第２の実施形態について図を参照して説明する。尚、本実施形態において、上記実施形態の封筒作製用シートと同じ構成部材には同符号を付け、詳細な説明は省略する。本実施形態の封筒作製用シート１００は、上記実施形態の封筒作製用シート１と同様に、ラベル紙５と剥離紙２０とを備えたＡ４大のものである。図９に示すように、封筒作製用シート１００は、その短辺と平行に幅方向に渡るように形成された折り曲げ線１３０によって、長手方向において３等分されている。即ち、封筒作製用シート１００を折り曲げ線１３０に沿っ���３つ折りしたとき、折り曲げ線１３０で隔てられた各要素がほぼ同じ表面積となるようにされている。尚、本実施形態では、封書状の給与明細書への利用を想定し、上側の折り曲げ線１３０の上側の領域を宛名等が記載される宛名部１２５（請求項における封筒部に相当）とし、上下折り曲げ線１３０に挟まれた領域を第１の明細部１２６（請求項における帳票部に相当）、下側の折り曲げ線１３０の下側の領域を第２の明細部１２７（請求項における帳票延設部に相当）としている。後述するが、宛名部１２５が外側に来るように封筒作製用シート１００をＺ型に折り曲げることにより、封書状の給与明細書が作製されるようになっている。【００２１】  また、図１０、１１に示すように、封筒作製用シート１００の裏面には、部分的に粘着層６の粘着面６ａを露出させるためのスリット４０が複数形成されている。スリット４０は、剥離紙２０を貫通しており、このスリット４０に囲まれた領域が粘着領域７０となる。詳しくは、スリット４０は、封筒作製シート１００の裏面において、その上側縁５５、左右側縁５８からそれぞれ略１ｃｍ離れて各側縁と平行に延びている。上側縁５５の近傍では幅方向に渡って延びており、左右側縁５８近傍では、上端から下側の折り曲げ線１３０の直上まで延びて、最終的に左右側縁に向かってそれぞれ水平方向に曲折している。即ち、このスリット４０によって、下方に開いた略コの字型の粘着領域７０が形成されている。【００２２】  また、スリット４０は、封筒作製用シート１００の左右中央部分においても、上側の折り曲げ線１３０を跨ぐように形成されている。詳しくは、図１０に示すように、左右側縁５８に沿って延びるスリット４０の内側にて、上側の折り曲げ線１３０の上下各１ｃｍのところに幅方向に延びるスリット４０が形成されており、この上下スリット４０の左右端部間を結ぶように、長さ方向（図中縦方向）に延びるスリット４０が形成されている。即ち、当該箇所のスリット４０は、長方形状でかつ上側の折り曲げ線１３０を跨ぐように形成されている。【００２３】  スリット４０で囲まれた領域は、剥離紙２０が除去されることで粘着面６ａが露出される粘着領域７０とされているが、上記実施形態の封筒作製用シート１と同様に本実施形態の封筒作製用シート１００でも、この粘着領域７０の内部に全抜き領域７１が形成されている。全抜き領域７１は、上述した通り、ラベル紙５と剥離紙２０との両方が除去される領域であるが、図９、１０に示すように、コの字の粘着領域７０において、その左右側縁５８に沿って延びる部分では、上側の折り曲げ線１３０の直下から下側の折り曲げ線１３０の直上まで、縦長の長方形状の全抜き領域７１が形成されている。また、封筒作製用シート１００の左右中央部分にて上側の折り曲げ線１３０を跨ぐように形成された粘着領域７０内では、上側の折り曲げ線１３０の直下から粘着領域７０の下側縁の直上までの範囲で、横長の長方形状の全抜き領域７１が形成されている。【００２４】  また、左右中央部分の粘着領域７０の直上および直下には、封書状になった封筒作製用シート１００を開封するための開封ミシン４２が幅方向に渡って形成されている。詳しくは、この２本の開封ミシン４２は、上��の折り曲げ線１３０から上下に同じ寸法だけ離間して形成されている。開封ミシン４２は、当該箇所に形成された２本の他、封筒作製用シート１００の下側縁５６から上記寸法だけ上方に離間して形成されたもの、さらに、左右の粘着領域７０のすぐ内側においてシートの長さ方向に渡って延びるように形成されたものがあり、封筒作製用シート１００上に合計５本形成されている。【００２５】  次に、本実施形態の封筒作製用シート１００の使用方法について説明する。図１２に示すように、まず、裏側のスリット４０に沿って、粘着領域７０の剥離紙２０を剥離する。粘着領域７０の剥離紙２０を除去することによって、当該部分に粘着面６ａが露出すると共に、全抜き領域７１のラベル紙５および剥離紙２０も連動して除去されるので、封筒作製用シート１００には部分的に貫通孔７３、切欠７４が形成された状態となる。【００２６】  そして、図１３に示すように、上側の折り曲げ線１３０に沿って山折りし、下側の折り曲げ線１３０に沿って谷折りする。この状態で、宛名部１２５は外側に表出し、第１の明細部１２６および第２の明細部１２７は内側を向いている。図１３に示す状態から、封筒作製シート１００をそのまま折り畳んでいくと、宛名部１２５の裏面に露出した粘着面６ａが、貫通孔７３および切欠７４を通して第２の明細部１２７の表面に接することになる。これにより、宛名部１２５と第２の明細部１２７とが粘着され、また、宛名部１２５と第１の明細部１２６とは、宛名部１２５裏面の上側縁に形成された粘着領域７０を介して粘着されるので、封書状の給与明細書が作製されることになる。【００２７】  また、詳しく図示しないが、封書状の給与明細書が作製された状態で、幅方向に延びる３本の開封ミシン４２は、全て同一線上に位置しており、また宛名部１２５、第１の明細部１２６および第２の明細部１２７のそれぞれにおいて長さ方向に延びる開封ミシン４２も全て同一線上に位置しているので、給与明細書の開封時には、これら開封ミシン４２を同時に切断することにより、容易に開封作業を行うことができるようになっている。【００２８】  以上説明したように、上記実施形態の封筒作製用シートでは、ラベル紙と剥離紙というごく単純な構成でありながら、粘着面を露出させる抜きの部分を特徴的な構造としたことにより、封筒部に複数面の帳票部が連結されたようなものにおいても、封筒を容易に作製できるようにした。従って、シートに両面タック加工などの特殊な加工を施す必要がなく、コストが上がってしまうことがない。また、配達用の箱などに容易に貼り付けることができるので、伝票を封筒に入れて箱に貼ったり、またテープなどで伝票を箱に貼ったりする必要がなく、作業性を向上できると共にコストを抑えることができる。【００２９】  尚、本発明は上記実施形態に限られず、各種の変形が可能である。例えば、上記実施形態では、剥離紙を部分的に除去することによって粘着層が部分的に露出されるようにしたが、予め粘着層が部分的に形成されたラベル紙を用いてもよい。また、本発明ではラベル紙裏側の粘着層を介して封筒の各側縁が接着されるようにしたが、粘着層に代えて、例えば圧着糊等を用いて封筒の各側縁を接着するようにしてもよい���また、上記実施形態では、全抜き領域のラベル紙および剥離紙を除去するという作業を経て貫通孔または切欠が形成されるようにしたが、シートの一部分に予め貫通孔、切欠等を設けておいてもよい。さらに、上記実施形態では、全抜き領域の形状を矩形としたが、全抜き領域の形状はこれに限られず、円形、長円形などにすることができる。また、全抜き領域を完全に抜いてしまうことなく、シートに残留するようにしてもよい。また、被着体も上記実施形態のものに限られず、用途に合わせて適宜変更可能である。
【図面の簡単な説明】
【００３０】
【図１】  封筒作製用シート１の平面図である。
【図２】  封筒作製用シート１の裏面図である。
【図３】  図１におけるＡ−Ａ線矢視方向断面図である。
【図４】  封筒作製用シート１の裏面図である。
【図５】  封筒作製用シート１の作製方法を示す斜視図である。
【図６】  封筒作製用シート１の作製方法を示す斜視図である。
【図７】  封筒作製用シート１の使用形態を示す斜視図である。
【図８】  封筒作製用シート１の使用形態を示す斜視図である。
【図９】  封筒作製用シート１００の平面図である。
【図１０】  封筒作製用シート１００の裏面図である。
【図１１】  図９におけるＢ−Ｂ線矢視方向断面図である。
【図１２】  封筒作製用シート１００の作製方法を示す裏面図である。
【図１３】  封筒作製用シート１００の作製方法を示す斜視図である。
【符号の説明】
【００３１】  １    封筒作製用シート
５    ラベル紙
６    粘着層
６ａ  粘着面
２５    封筒部
２６    帳票部
７０    粘着領域
７１    全抜き領域
８０    被着体
【図１】
2006347144.tif 000003
【図２】
2006347144.tif 000004
【図３】
2006347144.tif 000005
【図４】
2006347144.tif 000006
【図５】
2006347144.tif 000007
【図６】
2006347144.tif 000008
【図７】
2006347144.tif 000009
【図８】
2006347144.tif 000010
【図９】
2006347144.tif 000011
【図１０】
2006347144.tif 000012
【図１１】
2006347144.tif 000013
【図１２】
2006347144.tif 000014
【図１３】
2006347144.tif 000015